(57)【要約】【課題】使用する人の環境や気分等に応じて任意にその向きを変えることができ、使用性（使い勝手性）の向上を図ることができる携帯機器用ホルダを提供する。【解決手段】携帯機器用ホルダ１は、携帯電話機やデジタルカメラ等の携帯機器５を収容するホルダ本体７と、第１の開閉部９と、第２の開閉部１５と、ホルダ本体７の裏面側に設けられホルダ本体７を縦向きに使用するための第１のベルト挿通部と、ホルダ本体７の裏面側に設けられホルダ本体７を横向きに使用するための第２のベルト挿通部を有している。縦向き使用時には、第１の開閉部９を開放することにより携帯機器５を上方に取り出すことができ、横向き使用時には第２の開閉部１５を開放することにより携帯機器５を上方に取り出すことができる。【選択図】        図１
0003153898.tif 000002
【実用新案登録請求の範囲】
【請求項１】
携帯機器を収容保持するホルダ本体と、前記ホルダ本体の裏面側に設けられ、前記ホルダ本体を縦向きに使用するための第１のベルト挿通部と、前記ホルダ本体の裏面側に設けられ、前記ホルダ本体を横向きに使用するための第２のベルト挿通部と、携帯機器を取り出し可能に開放され、前記ホルダ本体に対して着脱自在な留め具を有する開閉部とを有することを特徴とする携帯機器用ホルダ。
【請求項２】
請求項１記載の携帯機器用ホルダにおいて、
前記開閉部は、前記ホルダ本体を縦向きに使用したときに携帯機器を上方へ取り出し可能に開放される第１の開閉部と、前記ホルダ本体を横向きに使用したときに携帯機器を上方へ取り出し可能に開放される第２の開閉部とを有することを特徴とする携帯機器用ホルダ。
【請求項３】
請求項２記載の携帯機器用ホルダにおいて、
前記ホルダ本体を縦向きに使用したときは第２の開閉部が前記ホルダ本体の一部を兼ね、前記ホルダ本体を横向きに使用したときは第１の開閉部が前記ホルダ本体の一部を兼ねることを特徴とする携帯機器用ホルダ。
【請求項４】
請求項２又は３記載の携帯機器用ホルダにおいて、
第１の開閉部と第２の開閉部の前記留め具はそれぞれボタンを有しているとともに、第２の開閉部は複数のボタンを有し、第１の開閉部及び第２の開閉部を共に閉じたときに、前記各ボタンが前記ホルダ本体の表面側において直線状に並ぶことを特徴とする携帯機器用ホルダ。
【請求項５】
請求項１〜４のいずれかに記載の携帯機器用ホルダにおいて、
前記ホルダ本体の裏面側に係止フックを有していることを特徴とする携帯機器用ホルダ。
【考案の詳細な説明】
【技術分野】
【０００１】
本考案は、携帯電話器やデジタルカメラ等の携帯機器を携行する時に使用される携帯機器用ホルダに関するものである。
【背景技術】
【０００２】
携帯電話機やデジタルカメラ等の簡易型の携帯機器を携行する場合、手で直接持っていると邪魔になるだけでなく、落としたり忘れたりするため、従来より体に装着可能な種々のホルダが提案されている。
例えば特許文献１には、ズボンのベルトにフックを挿し込んで縦向きに取り付ける携帯電話ホルダが開示されている。
特許文献２には、ズボンのベルトに横向きにして装着でき、且つ、腰の左側と右側とに任意に装着できる携帯電話用ホルダが開示されている。
この種の携帯機器用ホルダは収容される携帯機器の保護機能も有しており、特に工事現場等での使用における意義は大きく、年々使用者数は増加している。
また、ファッションの一部としての認識も確立されつつある。
【先行技術文献】
【特許文献】
【０００３】
【特許文献１】特開平１１−１４６８０５号公報
【特許文献２】特開２００２−５１１３９号公報
【考案の概要】
【考案が解決しようとする課題】
【０００４】
日常における携帯機器用ホルダの使用性について考えてみると、立っている状態では縦向きの方が外観的にもスマートであるが、例えば車の運転席に座っているような場合には縦向きであると圧迫感を感じることがある。
このように使用状態によって縦向きが良い場合と横向きが良い場合があるが、従来の携帯機器用ホルダは、上記のように使用態様が縦向きか横向きに限定されているため、使用者のニーズに対して必ずしも満足できるものではなかった。
【０００５】
本考案はこのような現状に鑑みてなされたもので、使用する人の環境条件や気分等に応じて任意にその向きを変えることができ、使用性（使い勝手性）の向上を図ることができる携帯機器用ホルダの提供を、その主な目的とする。
【課題を解決するための手段】
【０００６】
本考案は上記課題を解決するためになされたものであり、請求項１記載の考案は、携帯機器を収容保持するホルダ本体と、前記ホルダ本体の裏面側に設けられ、前記ホルダ本体を縦向きに使用するための第１のベルト挿通部と、前記ホルダ本体の裏面側に設けられ、前記ホルダ本体を横向きに使用するための第２のベルト挿通部と、携帯機器を取り出し可能に開放され、前記ホルダ本体に対して着脱自在な留め具を有する開閉部とを有することを特徴とする携帯機器用ホルダである。
【０００７】
請求項２記載の考案は、請求項１記載の携帯機器用ホルダにおいて、前記開閉部は、前記ホルダ本体を縦向きに使用したときに携帯機器を上方へ取り出し可能に開放される第１の開閉部と、前記ホルダ本体を横向きに使用したときに携帯機器を上方へ取り出し可能に開放される第２の開閉部とを有することを特徴とする携帯機器用ホルダである。
【０００８】
請求項３記載の考案は、請求項２記載の携帯機器用ホルダにおいて、前記ホルダ本体を縦向きに使用したときは第２の開閉部が前記ホルダ本体の一部を兼ね、前記ホルダ本体を横向きに使用したときは第１の開閉部が前記ホルダ本体の一部を兼ねることを特徴とする携帯機器用ホルダである。
【０００９】
請求項４記載の考案は、請求項２又は３記載の携帯機器用ホルダにおいて、第１の開閉部と第２の開閉部の前記留め具はそれぞれボタンを有しているとともに、第２の開閉部は複数のボタンを有し、第１の開閉部及び第２の開閉部を共に閉じたときに、前記各ボタンが前記ホルダ本体の表面側において直線状に並ぶことを特徴とする携帯機器用ホルダである。
【００１０】
請求項５記載の考案は、請求項１〜４のいずれかに記載の携帯機器用ホルダにおいて、前記ホルダ本体の裏面側に係止フックを有していることを特徴とする携帯機器用ホルダである。
【考案の効果】
【００１１】
本考案の携帯機器用ホルダによれば、使用者の環境条件や好みに応じて、取り出し容易性を維持しつつ任意に縦向き又は横向きに設定できるので、使用性（使い勝手性）の向上を図ることができる。
またデザイン性を向上させることができ、ファッションの一部としての機能を高めることができる。
【図面の簡単な説明】
【００１２】
【図１】本考案の一実施の形態に係る携帯機器用ホルダの縦向き使用時の斜視図である。
【図２】図１の状態から携帯機器５を取り出す動作を示す斜視図である。
【図３】携帯機器用ホルダの横向き使用時の斜視図である。
【図４】図３の状態から携帯機器５を取り出す動作を示す斜視図である。
【図５】携帯機器用ホルダの裏面側から見た斜視図である。
【考案を実施するための形態】
【００１３】
本考案の一実施の形態に係る携帯機器用ホルダを図面にしたがって説明する。
図１は、携帯機器用ホルダ１をベルト３に縦向きに装着した状態を示している。本実施の形態に係る携帯機器用ホルダ１は、例えば合成皮革で形成されており、全体として、収容される携帯電話器等の携帯機器５の四隅が露出する形状を有している。
具体的には、携帯機器５を収容可能なホルダ本体７と、縦向き使用時に開閉される蓋部としての第１の開閉部９を有している。第１の開閉部９は、ホルダ本体７の裏面から延びて表面の一部（後述する収容本体部１３の一部）を覆う形状を有し、その先端部には留め具を構成する金属製のボタン１１が固定されている。
【００１４】
ホルダ本体７は、収容本体部１３と、横向き使用時に開閉される蓋部としての第２の開閉部１５を有している。第２の開閉部１５は、ホルダ本体７の裏面から延びて表面の一部（収容本体部１３の一部）を覆う形状を有し、その先端部には留め具を構成する金属製のボタン１７、１９が取り付けられている。
第１の開閉部９と第２の開閉部１５の先端部は、第１の開閉部９の先端部が第２の開閉部１５の先端部の領域に一部入り込む流線形のカットライン２０を有している。
図１において、符号２１は収容本体部１３の表面に固定されたネームプレートを示している。
【００１５】
図２に示すように、第１の開閉部９のボタン１１の裏面には凹部１１ａが形成されており、収容本体部１３の対応部位には凹部１１ａにスナップ係合する留め具の他方をなす係合凸部２３が固定されている。後述するように、第２の開閉部１５における留め具構造も同様の構造を有している。
携帯機器５を取り出すときは、ボタン１１を外して第１の開閉部９を上方に開放する。
【００１６】
図３は、携帯機器用ホルダ１をベルト３に横向きに装着した状態を示している。この場合には、ホルダ本体７は、収容本体部１３と第１の開閉部９とにより構成される。
すなわち、縦向き使用時には第２の開閉部１５がホルダ本体７の一部を兼ね、横向き使用時には第１の開閉部９がホルダ本体７の一部を兼ねる。
横向き使用の場合に、携帯機器５を取り出すときは、図４に示すように、ボタン１７、１９を外して第２の開閉部１５を縦向き使用時の場合と同様に上方に開放する。第２の開閉部１５のボタン１７、１９の裏面には、ボタン１１と同様に、凹部１７ａ、１９ａが形成されており、収容本体部１３の対応部位には凹部１７ａ、１９ａにスナップ係合する留め具の他方をなす係合凸部２５、２７が固定されている。
【００１７】
図１又は図３に示すように、第１の開閉部９と第２の開閉部１５を共に閉じているときは、３つのボタン１１、１７、１９が直線状に並ぶようになっている。
革材からなるホルダ本体７の表面に、硬質の質感を有し且つメタル光沢性を有するボタン１１、１７、１９が直線状に並ぶことによる配列性と、上記カットライン２０の線美性とが相まって、優れたデザイン性を付与することができる。
【００１８】
図５は携帯機器用ホルダ１をその裏面側から見た縦向きの状態を示している。ホルダ本体７の裏面（収容本体部１３の裏面）には革材からなる裏重ね面２９が設けられており、第１の開閉部９はこの裏重ね面２９から連続して延び、表面側に折り返して留められている。
第２の開閉部１５は収容本体部１３の裏面１３ａから連続して延び、表面側に折り返して留められている。
収容本体部１３の縦向き使用時における下端側には、裏面側に折り返されて裏重ね面２９上に乗る裏返し片１３ｂが形成されている。この裏返し片１３ｂと裏重ね面２９及び収容本体部１３の裏面１３ａは、これら３層を貫通する金属製のピン３１で一体にカシメ固定されている。
第１の開閉部９の裏面側にはループ状に折り曲げられた連結部３３が形成されており、連結部３３には伸縮自在なストラップ３５が連結されている。
【００１９】
連結部３３と第１の開閉部９及び収容本体部１３の裏面１３ａは、これら４層を貫通する金属製のピン３７で一体にカシメ固定されている。
裏重ね面２９と収容本体部１３の裏面１３ａとの間におけるピン３１とピン３７で区画される空間は、ホルダ本体７を縦向きに使用するための第１のベルト挿通部３９としてなる。矢印Ｓ１はこの場合のベルトの挿通方向の一例を示している。
【００２０】
裏重ね面２９の外面には、横方向に延びる革材からなる細帯片４１が設けられており、細帯片４１は、さらにその外面に設けられた金属製の係止フック４３と共に裏重ね面２９に金属製のピン４５、４７で一体にカシメ固定されている。
裏重ね面２９と細帯片４１との間におけるピン４５とピン４７で区画される空間は、ホルダ本体７を横向きに使用するための第２のベルト挿通部４９としてなる。矢印Ｓ２はこの場合のベルトの挿通方向の一例を示している。
【００２１】
係止フック４３は、その弾性変形を利用して挟み込んで簡易に係止できる周知構成を有しており、例えば壁の薄板部分に掛けたり、カバンやバッグの内ポケットに挿し込んで位置固定したりするなどの使用に供されるものである。
カバンやバッグの中に携帯機器用ホルダ１を無造作に入れた場合、他の品と混ざって底に隠れて取り出しにくい場合があるが、係止フック４３を利用して内ポケットに挿し込んで位置固定することにより、カバンやバッグ内での整理ができ、取り出しが容易となる。
本実施形態では、係止フック４３は、カバンやバッグ内での縦方向の嵩張りを回避するために横向き用に限定しているが、勿論縦向き用に限定してもよい。
ストラップ３５は、携帯機器用ホルダ１自体の落下・紛失防止や、ホルダ本体７からの携帯機器５の離脱防止に利用することができる。
【００２２】
以上、本考案の実施の形態について詳述してきたが、具体的構成は、この実施の形態に限られるものではなく、本考案の要旨を逸脱しない範囲における設計の変更などがあっても考案に含まれる。
例えば、上記実施形態ではホルダ本体７等を革材で形成したが、ビニール樹脂等の軟質プラスチック材で形成してもよい。
また、ホルダ本体７の裏面内側に第１のベルト挿通部を、外側に第２のベルト挿通部を設ける構成としたが、逆態様で形成してもよい。
また、留め具は面状ファスナーを用いてもよい。
【符号の説明】
【００２３】
１    携帯機器用ホルダ
３    ベルト
５    携帯機器
７    ホルダ本体
９    第１の開閉部
１１、１７、１９  ボタン
１５    第２の開閉部
３９    第１のベルト挿通部
４３    係止フック
４９    第２のベルト挿通部
【図１】
0003153898.tif 000003
【図２】
0003153898.tif 000004
【図３】
0003153898.tif 000005
【図４】
0003153898.tif 000006
【図５】
0003153898.tif 000007